(57)【特許請求の範囲】
【請求項１】
内容物を充填した容器を内側に収納する容器本体と、この容器本体を密閉する蓋体にベースキャップを介して取り付けられ容器に充填された内容物を吸引、加圧してノズルヘッドの先端ノズルより排出するポンプ吐出器とを備えた容器であって、
前記蓋体に、内容物を充填した容器の口部に連通しポンプ吐出器の吸引、加圧機構をその内部に配置する開口とその開口を取り囲む溝部を設け、
この溝部に、ベースキャップを嵌入してその相互側壁を面タッチにするとともに溝底において蓋体とベースをアンダーカットによって係合してなることを特徴とするポンプ吐出器を備えた容器。
【請求項２】
ベースキャップと蓋体は、それぞれ、そのうちの一方に設けられた溝ともう一方に設けられ該溝に適合する凸部によりスプライン嵌合するものである、請求項１記載の容器。
【請求項３】
蓋体は、内容物を充填する容器をその背面にて固定保持する保持部を有し、その保持部の先端と容器本体に係合する係合部の先端がほぼ同一面内に存在するか、もしくは、保持部の先端が係合部の先端がより短いものである、請求項１又は２記載の容器。
【請求項４】
ノズルヘッドがその天面を含め容器本体の上面のほぼ全域を覆うカバーを備えたものである、請求項１〜３の何れかに記載の容器。
【請求項５】
内容物を充填する容器がレフィル容器である、請求項１〜４の何れかに記載の容器。
【発明の詳細な説明】
【０００１】
【発明の属する技術分野】
本発明は、ポンプ吐出器を備える容器に関し、容器本体の外観形状の多様化を図るとともに容器内への水の侵入を確実に防止しようとするものである。
【０００２】
【従来の技術】
シャンプーやリンス、ボディソープ等の液体を充填しておく容器は資源の有効活用を図る観点から、内容物のみを詰め替えることによって容器そのものが再利用できるように詰め替えタイプの容器が多用されてきており、その口部には、内容物の適量吐出を可能とする押圧式のポンプ吐出器が備えられている。この点に関する先行文献としては、実用新案登録第２５２５９９３号公報、実用新案登録第２５７７４１２号公報等が参照される。
【０００３】
かかる容器は、サイズが大きく据え置きタイプとするのが前提であるところ、どの容器も容器の外観は容器本体の天面部からポンプ吐出器を支えるベースキャップが突出しており、そのベースキャップから急激に肩落ちして本体部分につながる、ほぼ同様の形状を有している。このことから、従来から、容器の構造そのものに工夫を加えて外観形状の多様化を図る試みがなされているけれども、容器内への水の侵入が懸念されるため、他の容器との識別は専ら容器の胴部に貼付したラベルや色彩等に頼らざるを得ない状況にある。
【０００４】
【発明が解決しようとする課題】
本発明の課題は、容器内への水の侵入を確実に防止するとともに容器の外観形状の多様化を図ることができる新規なポンプ吐出器付きの容器を提案するところにある。
【０００５】
【課題を解決するための手段】
本発明は、内容物を充填した容器を内側に収納する容器本体と、この容器本体を密閉する蓋体にベースキャップを介して取り付けられ容器に充填された内容物を吸引、加圧してノズルヘッドの先端ノズルより排出するポンプ吐出器とを備えた容器であって、
前記蓋体に、内容物を充填した容器の口部に連通しポンプ吐出器の吸引、加圧機構をその内部に配置する開口とその開口を取り囲む溝部を設け、
この溝部に、ベースキャップを嵌入してその相互側壁を面タッチとするとともに溝底において蓋体とベースキャップをアンダーカットによって係合してなることを特徴とするポンプ吐出器を備える容器である。
【０００６】
ベースキャップと蓋体は、それぞれ、そのうちの一方に設けられた溝ともう一方に設けられ該溝に適合する凸部によりスプライン嵌合とするものが好ましい。
【０００７】
蓋体は、内容物を充填する容器をその背面にて固定保持する保持部を有し、その保持部の先端と、容器本体に係合する係合部の先端がほぼ同一面内に位置するか、もしくは、保持部の先端が係合部の先端よりも短いものとするのがよい。
【０００８】
また、ノズルヘッドはその天面を含め容器本体のほぼ全域を覆うカバーを備えたものがとくに有利に適合する。
【０００９】
内容物を充填する容器は、薄肉のブロー成形にかかわる容器やパウチタイプの容器等など容器そのものをそっくり入れ換えるレフィル容器とするのが望ましい。
【００１０】
【発明の実施の形態】
以下、図面を用いて本発明をより具体的に説明する。
図１は本発明に従う容器の実施の形態を示した図である。
【００１１】
図１において番号１は内容物を充填する容器（以下、内容器と記す）、２は内容器１を収納する容器本体（以下、外容器と記す）である。
【００１２】
３は外容器２にねじ係合させて密閉する蓋体、４はポンプ吐出器であり、このポンプ吐出器４はシリンダ４ａと、このシリンダ４ａ内にて移動可能なピストン４ｂと、吸引した内容物の逆流を防止する逆止弁４ｃおよび吸引管４ｄからなる吸引、加圧機構Ｐと、ピストン４ｂにつながり該ピストン４ｂをシリンダ４ａ内で往復移動させるノズルヘッドＨからなっている。
【００１３】
また、５はポンプ吐出器４を保持するとともにこれを介して蓋体３に固定するベースキップである。このベースキャップ５はノズルヘッドＨの内側において形成したねじ部に係合させて図２に示す如く該ノズルヘッドＨを固定しておくことができるベース本体５ａと、このベース本体５ａに連結固定され先端にいくに従い先細りになるテーパー付きの差込み体５ｂにて構成される。
【００１４】
蓋体３には、内容器１をその口部１ａにおいてねじ止め保持する保持部３ａと内容器１の口部１ａに連通しポンプ吐出器４の吸引、加圧機構Ｐをその内部に配置する開口３ｂとその開口３ｂの周りを取り囲む溝部３ｃが設けられている。蓋体３の保持部３ａと外容器２に係合する部分の先端は図１の基準線Ｌにて示すごとくほぼ同じ平面内に存在し、これによって外容器２の底面を基準にして比較した場合に各先端に到達するまでの高さ寸法をほぼ同一とする。
【００１５】
ベース５の差込み体５ｂを溝部３ｃに差込んで嵌入することによってポンプ吐出器４は蓋体３に取り付けられることになるが、溝部３ｃの側壁とこの側壁に接触する差込み体５ｂの外側面は滑らかな面を有していて、水等の侵入を阻止するよう面タッチで接触する。この時、差込み体５ｂの先端とベース５はその溝底でアンダーカットｃによって係合し、ポンプ吐出器４を保持するベース５が蓋体３から簡単に抜け落ちるようなことがない。
【００１６】
図１において番号６は溝部３ｃの別の側壁に設けられた凸部、７は差込み体５ｂの内側面側に設けられた溝である。ベース５を溝部３ｃに嵌入させる際、図３にその要部を拡大して示すごとく、凸部６は溝７に適合してスプライン嵌合しベース５が蓋体３の上で回転するのを防止する。
【００１７】
本発明に従う容器は、ポンプ吐出器４を保持するベース５が、蓋体３の溝部３ｃに嵌入するものであるから、ベース５の突出代は極わずかであり、蓋体３と外容器２、内容器１とで囲まれた空間領域Ｒが拡大するため、蓋体３及び外容器２の口部２ａの形状に工夫を加えることにより、従来の容器とは異なる外観形状とすることができ、容器のデザインの多様化を図ることが可能になる。
【００１８】
また、かかる容器は内容器１の口部１ａと外容器２の口部２ａがほぼ同一の高さに位置するので、内容器１を簡単に取り付けることができる。この高さは、組み込み作業のより一層の簡便化のために内容器１の口部１ａの方を外容器２の口部２ａの高さよりも高くするのが好ましい。
【００１９】
図４（ａ）（ｂ）は、本発明に従う容器の他の実施の形態を示したものであり、図において８はノズルヘッドＨの天面を含め外容器２のほぼ全域覆うカバーである。
【００２０】
このカバー８はノズルヘッドＨと一体ものとすることもできるものであり、かかるカバー８によって容器内への水の侵入防止効果をより一層高めることが可能になる。とくにノズルヘッドＨとカバー８を別体構造としてアンダーカットｃの如き係合手段によって保持した構造においては、カバー８の内側が汚れたとき、それを簡単に取り外して洗うことができる利点がある。図５はカバー８の外観を示したものであり、本発明では先端ノズルの領域については、下側に向けて切り欠いた構造のものを示したが、強度を高める必要がある場合にはその全周を取り囲むようにするのがより好ましい。
【００２１】
内容器１はそのものをそっくり取り替えるレフィル容器とすることができるものであり、本発明では薄肉のブロー容器は袋状のパウチを用いることができる。
【００２２】
【発明の効果】
本発明によれば、容器内への水の侵入を確実に防止できるとともに、容器の外観形状を比較的自由に変更でき、他の容器との識別化を図り得る。
【図面の簡単な説明】
【図１】  本発明に従う容器の構成説明図である。
【図２】  図１に示した容器につき、ノズルヘッドをベースに固定した状態を示した図である。
【図３】  本発明に従う容器の要部断面を示した図である。
【図４】  （ａ）（ｂ）は本発明に従う容器の他の実施の形態を示した図である。
【図５】  カバーの外観斜視図である。
【符号の説明】
１  内容器
２  外容器
３  蓋体
３ａ  保持部
３ｂ  開口
３ｃ  溝部
４  ポンプ吐出器
４ａ  シリンダ
４ｂ  ピストン
４ｃ  逆止弁
４ｄ  吸引管
５  ベース
５ａ  ベース本体
５ｂ  差込み体
６  凸部
７  溝
８  カバー
Ｐ  吸引、加圧機構
Ｈ  ノズルヘッド
Ｒ  空間領域
ｃ  アンダーカット
【図１】
0003973896.tif 000002
【図２】
0003973896.tif 000003
【図３】
0003973896.tif 000004
【図４】
0003973896.tif 000005
【図５】
0003973896.tif 000006